(57)【要約】【課題】機種が異なる複数のパワーコンディショナに接続された発電装置を一括して監視する。【解決手段】遠隔監視装置１０６は、自然エネルギーを利用する発電装置により得られた電力を変換するパワーコンディショナから取得する取得データに基づいて、発電関連データを作成するための収集プログラムである第１プログラム１１０ａと第２プログラム１１０ｂとが格納された収集プログラム記憶部１１０と、第１プログラム１１０ａと第２プログラム１１０ｂとのそれぞれを実行することにより、第１取得データに基づく発電関連データと第２取得データの各々に基づく発電関連データとを作成するデータ作成部と、データ作成部により作成された発電関連データを順次、予め定められた装置へ出力する出力部１１３とを備える。発電関連データは、予め定められた複数の種類の発電関連情報を予め定められた順序で含むデータである。【選択図】図３
2019140811.tif 000002
【特許請求の範囲】
【請求項１】
自然エネルギーを利用する第１発電装置により得られた電力を変換する第１パワーコンディショナから取得する第１取得データに基づいて、発電関連データを作成するための収集プログラムである第１プログラムと、自然エネルギーを利用する第２発電装置により得られた電力を変換する第２パワーコンディショナから取得する複数の第２取得データに基づいて、前記発電関連データを作成するための収集プログラムである第２プログラムとが格納される収集プログラム記憶部と、
前記第１プログラムと前記第２プログラムとのそれぞれを実行することにより、前記第１取得データに基づく前記発電関連データと前記第２取得データの各々に基づく前記発電関連データとを作成するデータ作成部と、
前記データ作成部により作成された発電関連データを順次、予め定められた装置へ出力する出力部とを備え、
前記発電関連データは、予め定められた複数の種類の発電関連情報を予め定められた順序で含み、
前記第１プログラムと前記第２プログラムとは、異なるプログラムである
ことを特徴とする遠隔監視装置。
【請求項２】
前記データ作成部は、
前記第１プログラムを実行することにより、前記第１取得データに基づく前記発電関連データを作成する第１処理部と、
前記第２プログラムを実行することにより、前記複数の第２取得データに基づく前記発電関連データを作成する第２処理部と、
前記第１処理部と前記第２処理部とのそれぞれに順次繰り返して前記第１プログラムと前記第２プログラムとを実行させる処理制御部とを含み、
ことを特徴とする請求項１に記載の遠隔監視装置。
【請求項３】
前記第１処理部は、
前記第１プログラムを実行することによって、前記予め定められた複数の種類の発電関連情報のうち第１パワーコンディショナ１０４から取得可能な種類の発電関連情報のすべてを一括で前記第１パワーコンディショナから取得するための第１取得コマンドを作成する第１コマンド作成部と、
前記第１取得コマンドを前記第１パワーコンディショナへ送信して、当該第１取得コマンドを送信したことの応答として前記第１取得データを取得する第１通信部と、
前記予め定められた複数の種類の発電関連情報の各々を前記第１取得データから抽出することと、当該抽出した各種類の発電関連情報を組み合わせることとによって、前記発電関連データを作成する第１データ作成部とを含む
ことを特徴とする請求項２に記載の遠隔監視装置。
【請求項４】
前記第２処理部は、
前記第２プログラムを実行することによって、前記予め定められた複数の種類の発電関連情報のうち前記第２パワーコンディショナから取得可能な種類の発電関連情報のそれぞれを個別に第２パワーコンディショナから取得するための複数の第２取得コマンドを作成する第２コマンド作成部と、
前記複数の第２取得コマンドを前記第２パワーコンディショナへ送信して、当該複数の第２取得コマンドのそれぞれを送信したことの応答として前記複数の第２取得データを取得する第２通信部と、
前記複数の第２取得データに基づいて、前記発電関連データを作成する第２データ作成部とを含む
ことを特徴とする請求項２又は３に記載の遠隔監視装置。
【請求項５】
前記収集プログラム記憶部に格納された収集プログラムを識別するための識別情報と、パワーコンディショナの機種を示す機種情報とを関連付ける管理情報が格納される管理記憶部と、
パワーコンディショナの機種を示す機種情報を取得する機種取得部と、
前記機種取得部によって前記機種情報が取得されると、当該機種情報が示す機種のパワーコンディショナに適用される収集プログラムをサーバ装置から取得する収集プログラム取得部とをさらに備える
ことを特徴とする請求項１から４のいずれか１項に記載の遠隔監視装置。
【請求項６】
前記第１パワーコンディショナ及び前記第２パワーコンディショナの各々について、前記第１パワーコンディショナ及び前記第２パワーコンディショナの各々からの出力電力を抑制するコマンドである抑制コマンドをサーバ装置から取得すると、当該抑制コマンドに対応する機種のパワーコンディショナへ当該抑制コマンドを送信する出力抑制部をさらに備える
ことを特徴とする請求項１から５のいずれか１項に記載の遠隔監視装置。
【請求項７】
自然エネルギーを利用する第１発電装置により得られた電力を変換する第１パワーコンディショナから取得する第１取得データに基づいて、発電関連データを作成するための収集プログラムである第１プログラムと、自然エネルギーを利用する第２発電装置により得られた電力を変換する第２パワーコンディショナから取得する複数の第２取得データに基づいて、前記発電関連データを作成するための収集プログラムである第２プログラムとが格納される収集プログラム記憶部を備えた遠隔監視装置が実行する遠隔監視方法であって、
前記第１プログラムと前記第２プログラムとのそれぞれを実行することにより、前記第１取得データに基づく前記発電関連データと前記第２取得データの各々に基づく前記発電関連データとを作成することと、
前記作成された発電関連データを順次、予め定められた装置へ出力することとを含み、
前記発電関連データは、予め定められた複数の種類の発電関連情報を予め定められた順序で含み、
前記第１プログラムと前記第２プログラムとは、異なるプログラムである
ことを特徴とする遠隔監視方法。
【請求項８】
コンピュータに、
自然エネルギーを利用する第１発電装置により得られた電力を変換する第１パワーコンディショナから取得する第１取得データに基づいて、発電関連データを作成するための収集プログラムである第１プログラムと、自然エネルギーを利用する第２発電装置により得られた電力を変換する第２パワーコンディショナから取得する複数の第２取得データに基づいて、前記発電関連データを作成するための収集プログラムであって、前記第１プログラムとは異なる第２プログラムとが格納される収集プログラム記憶部と、
前記第１プログラムと前記第２プログラムとのそれぞれを実行することにより、前記第１取得データに基づく前記発電関連データと前記第２取得データの各々に基づく前記発電関連データとを作成するデータ作成部と、
前記データ作成部により作成された発電関連データを順次、予め定められた装置へ出力する出力部とを実現させるためのものであり、
前記発電関連データは、予め定められた複数の種類の発電関連情報を予め定められた順序で含むこと
を実現させるためのプログラム。
【発明の詳細な説明】
【技術分野】
【０００１】
本発明は、遠隔監視装置、遠隔監視方法及びプログラムに関する。
【背景技術】
【０００２】
太陽光、風力など自然エネルギーを利用する発電所において、発電量、発電装置の不具合の有無などを監視するための遠隔監視装置が種々提案されている。
【０００３】
例えば特許文献１には、太陽光発電システム監視装置の計測データ収集部が太陽光電池パネルに接続されているパワーコンディショナから発電状況に関する計測データを収集する旨の記載がある。
【先行技術文献】
【特許文献】
【０００４】
【特許文献１】特開２０１５−１２１８７０号公報
【発明の概要】
【発明が解決しようとする課題】
【０００５】
しかしながら、発電所の規模、発電装置が利用する自然エネルギーの種類に応じて各メーカから種々の型番のパワーコンディショナが提供されている。メーカ、型番などの機種が異なるパワーコンディショナでは、それから取得できるデータの種類、データを取得する方法などが異なることがある。そのため、機種が異なる複数のパワーコンディショナに接続された発電装置を一括して監視することが困難である。
【０００６】
本発明は、上述の事情に鑑みてなされたもので、機種が異なる複数のパワーコンディショナに接続された発電装置を一括して監視することが可能な遠隔監視装置などを提供することを目的とする。
【課題を解決するための手段】
【０００７】
上記目的を達成するため、本発明の第１の観点に係る遠隔監視装置は、
自然エネルギーを利用する第１発電装置により得られた電力を変換する第１パワーコンディショナから取得する第１取得データに基づいて、発電関連データを作成するための収集プログラムである第１プログラムと、自然エネルギーを利用する第２発電装置により得られた電力を変換する第２パワーコンディショナから取得する複数の第２取得データに基づいて、前記発電関連データを作成するための収集プログラムである第２プログラムとが格納される収集プログラム記憶部と、
前記第１プログラムと前記第２プログラムとのそれぞれを実行することにより、前記第１取得データに基づく前記発電関連データと前記第２取得データの各々に基づく前記発電関連データとを作成するデータ作成部と、
前記データ作成部により作成された発電関連データを順次、予め定められた装置へ出力する出力部とを備え、
前記発電関連データは、予め定められた複数の種類の発電関連情報を予め定められた順序で含み、
前記第１プログラムと前記第２プログラムとは、異なるプログラムである。
【０００８】
本発明の第２の観点に係る遠隔監視方法は、
自然エネルギーを利用する第１発電装置により得られた電力を変換する第１パワーコンディショナから取得する第１取得データに基づいて、発電関連データを作成するための収集プログラムである第１プログラムと、自然エネルギーを利用する第２発電装置により得られた電力を変換する第２パワーコンディショナから取得する複数の第２取得データに基づいて、前記発電関連データを作成するための収集プログラムである第２プログラムとが格納される収集プログラム記憶部を備えた遠隔監視装置が実行する遠隔監視方法であって、
前記第１プログラムと前記第２プログラムとのそれぞれを実行することにより、前記第１取得データに基づく前記発電関連データと前記第２取得データの各々に基づく前記発電関連データとを作成することと、
前記作成された発電関連データを順次、予め定められた装置へ出力することとを含み、
前記発電関連データは、予め定められた複数の種類の発電関連情報を予め定められた順序で含み、
前記第１プログラムと前記第２プログラムとは、異なるプログラムである。
【０００９】
本発明の第３の観点に係るプログラムは、
コンピュータに、
自然エネルギーを利用する第１発電装置により得られた電力を変換する第１パワーコンディショナから取得する第１取得データに基づいて、発電関連データを作成するための収集プログラムである第１プログラムと、自然エネルギーを利用する第２発電装置により得られた電力を変換する第２パワーコンディショナから取得する複数の第２取得データに基づいて、前記発電関連データを作成するための収集プログラムであって、前記第１プログラムとは異なる第２プログラムとが格納される収集プログラム記憶部と、
前記第１プログラムと前記第２プログラムとのそれぞれを実行することにより、前記第１取得データに基づく前記発電関連データと前記第２取得データの各々に基づく前記発電関連データとを作成するデータ作成部と、
前記データ作成部により作成された発電関連データを順次、予め定められた装置へ出力する出力部とを実現させるためのものであり、
前記発電関連データは、予め定められた複数の種類の発電関連情報を予め定められた順序で含むこと
を実現させるためのプログラムである。
【発明の効果】
【００１０】
本発明によれば、機種が異なる複数のパワーコンディショナに接続された発電装置を一括して監視することが可能になる。
【図面の簡単な説明】
【００１１】
【図１】本発明の一実施の形態に係る遠隔監視システムの構成を示す図である。
【図２】発電関連データの構成の一例を示す図である。
【図３】一実施の形態に係る遠隔監視装置の構成を示す図である。
【図４】管理情報の一例を示す図である。
【図５】一実施の形態に係る第１処理部の構成を示す図である。
【図６】一実施の形態に係る第２処理部の構成を示す図である。
【図７】一実施の形態に係るサーバ装置の構成を示す図である。
【図８】サーバ管理情報の一例を示す図である。
【図９】一実施の形態に係るプログラム設定処理の流れを示すフローチャートである。
【図１０】一実施の形態に係る遠隔監視処理の流れを示すフローチャートである。
【図１１】図１０に示す遠隔監視処理に含まれる第１処理の流れを示すフローチャートである。
【図１２】第１取得データから発電関連データを作成する工程を示す図である。
【図１３】図１０に示す遠隔監視処理に含まれる第２処理の流れを示すフローチャートである。
【図１４】第２取得データから発電関連データを作成する工程を示す図である。
【図１５】一実施の形態に係る抑制コマンド作成処理の流れを示すフローチャートである。
【図１６】一実施の形態に係る出力抑制処理の流れを示すフローチャートである。
【発明を実施するための形態】
【００１２】
以下、本発明の一実施の形態について、図面を参照しつつ説明する。全図を通じて同一の要素には同一の符号を付す。
【００１３】
本発明の一実施の形態に係る遠隔監視システム１００は、発電所における発電状況を遠隔地から監視するためのシステムである。遠隔監視システム１００は、図１に示すように、複数の端末装置１０１ａ，１０１ｂと、複数の第１発電装置１０２と、複数の第２発電装置１０３と、第１パワーコンディショナ１０４と、第２パワーコンディショナ１０５と、遠隔監視装置１０６と、サーバ装置１０７とを備える。
【００１４】
図１に示すように、遠隔監視装置１０６は典型的には、複数の第１発電装置１０２、複数の第２発電装置１０３、第１パワーコンディショナ１０４及び第２パワーコンディショナ１０５とともに発電所に設置される。
【００１５】
なお、遠隔監視装置１０６に接続されるパワーコンディショナは、第１パワーコンディショナ１０４と第２パワーコンディショナ１０５との２台に限られず、３台以上であってもよい。また、第１パワーコンディショナ１０４と第２パワーコンディショナ１０５とのそれぞれに接続される第１発電装置１０２の台数と第２発電装置１０３の台数とは、３台に限られず、少なくとも１台あればよい。
【００１６】
端末装置１０１ａ，１０１ｂは、タブレット端末、ノートパソコン、スマートホンなどである。
【００１７】
端末装置１０１ａは、遠隔監視装置１０６のユーザが利用する端末装置である。
【００１８】
端末装置１０１ａは、遠隔監視装置１０６に各種の設定をするための機能を備える。端末装置１０１ａは、無線及び有線の回線を適宜組み合わせて構築されるネットワークを介して、遠隔監視装置１０６とサーバ装置１０７との各々と間で相互に通信可能に構成される。
【００１９】
端末装置１０１ｂは、発電所のオーナーなどが利用する端末装置である。
【００２０】
端末装置１０１ｂは、サーバ装置１０７から送信される発電状況情報を取得すると、その発電状況情報に基づく数値、グラフなどを表示する機能を備える。端末装置１０１ｂは、無線及び有線の回線を適宜組み合わせて構築されるネットワークを介して、サーバ装置１０７との間で相互に通信する。
【００２１】
発電状況情報は、発電所での発電状況に関する情報であり、例えば瞬間発電電力［Ｗ］、第１発電装置１０２又は第２発電装置１０３での不具合の有無、売電金額などである。
【００２２】
複数の第１発電装置１０２と複数の第２発電装置１０３とは、太陽光、風力などの自然エネルギーを利用して発電する装置である。例えば、第１発電装置１０２は太陽光発電パネルであり、第２発電装置１０３は風力発電装置である。
【００２３】
なお、第１発電装置１０２と第２発電装置１０３とは、共通の自然エネルギーを利用する発電装置であってもよく、太陽光、風力以外の自然エネルギーを利用する発電装置であってもよい。
【００２４】
第１パワーコンディショナ１０４は、複数の第１発電装置１０２により得られた電力を変換するパワーコンディショナである。第１パワーコンディショナ１０４は、複数の第１発電装置１０２の発電関連情報を継続的に取得する。
【００２５】
また、第１パワーコンディショナ１０４は、無線及び有線の回線を適宜組み合わせて構築されるネットワークを介して、遠隔監視装置１０６との間で相互に通信する。これにより、第１パワーコンディショナ１０４は、遠隔監視装置１０６からの要求に応じて、発電関連情報を遠隔監視装置１０６へ送信する。
【００２６】
第２パワーコンディショナ１０５は、複数の第２発電装置１０３により得られた電力を変換するパワーコンディショナである。第２パワーコンディショナ１０５は、複数の第２発電装置１０３の発電関連情報を継続的に取得する。
【００２７】
また、第２パワーコンディショナ１０５は、無線及び有線の回線を適宜組み合わせて構築されるネットワークを介して、遠隔監視装置１０６との間で相互に通信する。これにより、第２パワーコンディショナ１０５は、遠隔監視装置１０６からの要求に応じて発電関連情報を遠隔監視装置１０６へ送信する。
【００２８】
ここで、発電関連情報とは、発電に関連する情報である。
【００２９】
発電関連情報の具体例として、瞬間発電電力［Ｗ］、瞬間電流［Ａ］、瞬間電圧［Ｖ］、日射量［Ｗ／ｍ２］、気温［℃］、風力［ｍ／ｓ］、地絡などの不具合を示すエラーコードなどを挙げることができる。
【００３０】
瞬間発電電力、瞬間電流、瞬間電圧のそれぞれは、例えば第１パワーコンディショナ１０４及び第２パワーコンディショナ１０５の各々に設置される電力計、電流計、電圧計などの測定結果として取得される。
【００３１】
日射量、気温、風力のそれぞれは、例えば発電所内に設置される日射量センサ、温度センサ、風力計から取得される。
【００３２】
エラーコードは、瞬間電流などと予め定められた閾値との比較結果に基づいて地絡が検出された場合に、それに対応するエラーコードとして取得される。なお、エラーコードは、エラーの種類に応じて第１パワーコンディショナ１０４及び第２パワーコンディショナ１０５に予め格納されている。
【００３３】
一般的に、パワーコンディショナは、機種が異なると、外部から取得できる発電関連情報の種類、外部から発電関連情報を取得するための手順及びコマンド、外部から出力電力を制御するための手順及びコマンドなどが異なることがある。ここでの機種は、例えば、パワーコンディショナのメーカ、当該メーカが定める型番などの組み合わせにより特定される。
【００３４】
本実施の形態に係る第１パワーコンディショナ１０４と第２パワーコンディショナ１０５とでは機種が異なっており、遠隔監視装置１０６から取得できる発電関連情報の種類、遠隔監視装置１０６から発電関連情報を取得するための手順及びコマンドなどが異なっているものとする。
【００３５】
例えば、第１パワーコンディショナ１０４は、上記の発電関連情報の例のうち、瞬間発電電力［Ｗ］、瞬間電流［Ａ］、瞬間電圧［Ｖ］、日射量［Ｗ／ｍ２］、気温［℃］が取得可能であるとする。そして、第１パワーコンディショナ１０４では、これらの発電関連情報のすべてを一括して取得できるコマンドが採用されているものとする。
【００３６】
これに対して、第２パワーコンディショナ１０５は、上記の発電関連情報の例のうち、瞬間発電電力［Ｗ］、瞬間電流［Ａ］、瞬間電圧［Ｖ］、風力［ｍ／ｓ］、気温［℃］が取得可能であるとする。そして、第２パワーコンディショナ１０５では、これらの発電関連情報を個別に取得できるコマンドが採用されているものとする。
【００３７】
なお、本実施の形態にて列挙した瞬間発電電力［Ｗ］、瞬間電流［Ａ］、瞬間電圧［Ｖ］、日射量［Ｗ／ｍ２］及び気温［℃］は、第１パワーコンディショナ１０４から取得可能な発電関連情報の一例である。また、本実施の形態にて列挙した瞬間発電電力［Ｗ］、瞬間電流［Ａ］、瞬間電圧［Ｖ］、風力［ｍ／ｓ］、気温［℃］は、第２パワーコンディショナ１０５から取得可能な発電関連情報の一例である。第１パワーコンディショナ１０４及び第２パワーコンディショナ１０５から取得可能な発電関連情報は、各パワーコンディショナの機種に応じて定まっており、本実施の形態とは異なるものであってもよい。
【００３８】
遠隔監視装置１０６は、第１パワーコンディショナ１０４及び第２パワーコンディショナ１０５の各々から発電関連情報を取得して、統一した形式の発電関連データとしてサーバ装置１０７へ送信する。また、遠隔監視装置１０６は、第１パワーコンディショナ１０４及び第２パワーコンディショナ１０５の出力電力を制御する。
【００３９】
発電関連データは、予め定められた複数の種類の発電関連情報を含むデータである。発電関連データに含まれる発電関連情報の種類は、一般的なパワーコンディショナから取得可能な発電関連情報の中から適宜予め定められる。
【００４０】
本実施の形態では、図２に示すように、発電関連データに含める発電関連情報として、瞬間発電電力［Ｗ］、気温［℃］、日射量［Ｗ／ｍ２］、風力［ｍ／ｓ］が予め定められている例により説明する。また本実施の形態では、発電関連データにおける発電関連情報の順序も、上記の順で予め定められているものとする。
【００４１】
なお、発電関連データにエラーコードを含める場合、パワーコンディショナの機種ごとに、エラーコードを変換するためのエラーコードテーブルが遠隔監視装置１０６に予め格納されるとよい。
【００４２】
遠隔監視装置１０６は、詳細には図３に示すように、機種取得部１０８と、収集プログラム取得部１０９と、収集プログラム記憶部１１０と、管理記憶部１１１と、データ作成部１１２と、出力部１１３と、出力抑制部１１４とを備える。
【００４３】
機種取得部１０８は、端末装置１０１ａへのユーザの入力等に基づいて、遠隔監視装置１０６に接続されているパワーコンディショナの機種情報を取得する。機種情報は、パワーコンディショナの機種を示す情報である。
【００４４】
収集プログラム取得部１０９は、機種取得部１０８により機種情報が取得されると、当該機種情報が示す機種のパワーコンディショナに適用される収集プログラムをサーバ装置１０７から取得する。
【００４５】
収集プログラムは、パワーコンディショナから１つ又は複数の取得データを取得し、当該１つ又は複数の取得データに基づいて発電関連データを作成するためのプログラムである。取得データは、パワーコンディショナから取得するデータである。１つ又は複数の取得データは、発電関連データに含めるものとして予め定められた複数の種類の発電関連情報のうち、当該パワーコンディショナから取得可能な発電関連情報のすべてを含む。
【００４６】
なお、プログラムとは、コンピュータ・プログラムを意味する。
【００４７】
収集プログラム記憶部１１０は、収集プログラム取得部１０９により取得された収集プログラムが格納される記憶部である。収集プログラム記憶部１１０には、遠隔監視装置１０６に接続されたパワーコンディショナの機種に応じた収集プログラムが格納される。
【００４８】
本実施の形態に係る収集プログラム記憶部１１０では、図３に示すように、第１プログラム１１０ａと第２プログラム１１０ｂとが格納されている。第１プログラム１１０ａと第２プログラム１１０ｂとは、それぞれ、第１パワーコンディショナ１０４と第２パワーコンディショナ１０５に適用される収集プログラムであり、異なるプログラムである。
【００４９】
すなわち、第１プログラム１１０ａは、第１パワーコンディショナ１０４から取得する第１取得データに基づいて、発電関連データを作成するための収集プログラムである。
【００５０】
第１取得データは、第１パワーコンディショナ１０４からの取得データであり、発電関連データに含めるものとして予め定められた複数の種類の発電関連情報のうち第１パワーコンディショナ１０４から取得可能な種類の発電関連情報のすべてを含む。
【００５１】
本実施の形態に係る第１取得データは、瞬間発電電力［Ｗ］、日射量［Ｗ／ｍ２］、気温［℃］のすべてを含む。
【００５２】
第２プログラム１１０ｂは、第２パワーコンディショナ１０５から取得する複数の第２取得データに基づいて、発電関連データを作成するための収集プログラムである。
【００５３】
複数の第２取得データは、第２パワーコンディショナ１０５からの取得データであり、発電関連データに含めるものとして予め定められた複数の種類の発電関連情報のうち第２パワーコンディショナ１０５から取得可能な種類の発電関連情報のすべてを含む。
【００５４】
本実施の形態に係る第２取得データの各々は、瞬間発電電力［Ｗ］、気温［℃］、風力［ｍ／ｓ］のいずれか１つを含む。
【００５５】
管理記憶部１１１は、収集プログラム記憶部１１０に格納されている収集プログラムを管理するための管理情報１１１ａが格納される記憶部である。
【００５６】
管理情報１１１ａは、図４に示すように、上述の機種情報と、識別情報とを関連付ける情報である。管理情報１１１ａに含まれる識別情報は、収集プログラム記憶部１１０に格納された収集プログラムを識別するための情報である。管理情報１１１ａに含まれる識別情報は、例えば収集プログラム記憶部１１０において収集プログラムが格納されているアドレスを示す情報である。
【００５７】
データ作成部１１２は、第１プログラム１１０ａと第２プログラム１１０ｂとのそれぞれを実行することにより、第１取得データに基づく発電関連データと第２取得データの各々に基づく発電関連データとを作成する。
【００５８】
詳細にはデータ作成部１１２は、図３に示すように、第１処理部１１５と、第２処理部１１６と、処理制御部１１７とを含む。
【００５９】
第１処理部１１５は、第１プログラム１１０ａを実行することにより、第１取得データに基づく発電関連データを作成する。
【００６０】
より詳細には、図５に示すように、第１処理部１１５は、第１コマンド作成部１１８と、第１通信部１１９と、第１データ作成部１２０とを含む。
【００６１】
第１コマンド作成部１１８は、第１プログラム１１０ａを実行することによって、第１取得コマンドを作成する。
【００６２】
第１取得コマンドは、第１取得データを取得するために第１パワーコンディショナ１０４へ送信するコマンドである。すなわち、第１コマンド作成部１１８は、発電関連データに含めるものとして予め定められた複数の種類の発電関連情報のうち第１パワーコンディショナ１０４から取得可能な種類の発電関連情報のすべてを一括で第１パワーコンディショナ１０４から取得するための第１取得コマンドを作成する。
【００６３】
本実施の形態では第１コマンド作成部１１８は、第１プログラム１１０ａを実行することによって、瞬間発電電力［Ｗ］、瞬間電流［Ａ］、瞬間電圧［Ｖ］、日射量［Ｗ／ｍ２］、気温［℃］を一括で取得できるコマンドを第１取得コマンドとして作成する。
【００６４】
第１通信部１１９は、第１コマンド作成部１１８により作成された第１取得コマンドを第１パワーコンディショナ１０４へ送信する。そして、第１通信部１１９は、第１取得コマンドを送信したことの応答として第１取得データを取得する。
【００６５】
第１データ作成部１２０は、第１通信部１１９により取得された第１取得データから、発電関連データに含めるものとして予め定められた複数の種類の発電関連情報の各々を抽出する。そして、第１データ作成部１２０は、抽出した各種類の発電関連情報を組み合わせる。これによって、第１データ作成部１２０は発電関連データを作成する。
【００６６】
図３を再び参照する。
第２処理部１１６は、第２プログラム１１０ｂを実行することにより、複数の第２取得データに基づく発電関連データを作成する。
【００６７】
より詳細には、図６に示すように、第２処理部１１６は、第２コマンド作成部１２１と、第２通信部１２２と、第２データ作成部１２３とを含む。
【００６８】
第２コマンド作成部１２１は、第２プログラム１１０ｂを実行することによって、第２取得コマンドを作成する。
【００６９】
第２取得コマンドは、第２取得データを取得するために第２パワーコンディショナ１０５へ送信するコマンドである。すなわち、第２コマンド作成部１２１は、発電関連データに含めるものとして予め定められた複数の種類の発電関連情報のうち第２パワーコンディショナ１０５から取得可能な種類の発電関連情報のそれぞれを個別に第２パワーコンディショナ１０５から取得するための複数の第２取得コマンドを作成する。
【００７０】
本実施の形態では第２コマンド作成部１２１は、瞬間発電電力［Ｗ］、気温［℃］、風力［ｍ／ｓ］のそれぞれを取得するための複数の第２コマンドを作成する。
【００７１】
第２通信部１２２は、第２コマンド作成部１２１により作成された複数の第２取得コマンドを第２パワーコンディショナ１０５へ送信する。そして、第２通信部１２２は、複数の第２取得コマンドのそれぞれを送信したことの応答として複数の第２取得データを取得する。
【００７２】
第２データ作成部１２３は、第２通信部１２２により取得された複数の第２取得データに基づいて、発電関連データを作成する。
【００７３】
図３を再び参照する。
処理制御部１１７は、第１処理部１１５と第２処理部１１６とのそれぞれに順次繰り返して第１プログラム１１０ａと第２プログラム１１０ｂとを実行させる
【００７４】
出力部１１３は、データ作成部１１２により作成された発電関連データをサーバ装置１０７へ出力する。本実施の形態では出力部１１３は、データ作成部１１２により発電関連データが作成されると、当該作成された発電関連データを順次、サーバ装置１０７へ出力する。
【００７５】
ここで、出力部１１３が発電関連データを出力する先は、サーバ装置１０７に限られず、端末装置、プリンタ、表示装置など予め定められた装置であればよい。
【００７６】
出力抑制部１１４は、サーバ装置１０７から抑制コマンドを取得すると、当該抑制コマンドに対応する機種のパワーコンディショナへ当該抑制コマンドを送信する。抑制コマンドは、パワーコンディショナからの出力電力を抑制するコマンドである。抑制コマンドは、遠隔監視装置１０６に接続されたパワーコンディショナの機種に応じて、後述するサーバ装置１０７により作成される。
【００７７】
本実施の形態では、出力抑制部１１４は、第１パワーコンディショナ１０４用の抑制コマンドを取得すると、当該抑制コマンドを第１パワーコンディショナ１０４へ送信する。また、出力抑制部１１４は、第２パワーコンディショナ１０５用の抑制コマンドを取得すると、当該抑制コマンドを第２パワーコンディショナ１０５へ送信する。
【００７８】
図１を再び参照する。
サーバ装置１０７は、遠隔監視システム１００を管理するための装置である。
【００７９】
詳細には、サーバ装置１０７は、図７に示すように、サーバプログラム記憶部１２４と、サーバ管理記憶部１２５と、収集プログラム送信部１２６と、データ集計部１２７と、抑制情報取得部１２８と、抑制コマンド記憶部１２９と、抑制コマンド作成部１３０と、抑制コマンド送信部１３１とを備える。
【００８０】
サーバプログラム記憶部１２４は、収集プログラムが予め格納される記憶部である。サーバプログラム記憶部１２４に格納される収集プログラムは、ユーザにより作成されるものである。本実施の形態に係るサーバプログラム記憶部１２４には、図７に示すように、第１プログラム１１０ａ、第２プログラム１１５、第３プログラム１２４ｃが格納されている。
【００８１】
第３プログラム１２４ｃは、第３パワーコンディショナ（図示せず）に適用される収集プログラムである。第３パワーコンディショナは、本実施の形態に係る遠隔監視装置１０６には接続されていない。
【００８２】
サーバ管理記憶部１２５は、サーバ装置１０７に格納されている収集プログラムを管理するためのサーバ管理情報１２５ａが格納される記憶部である。
【００８３】
サーバ管理情報１２５ａは、図８に示すように、機種情報と、識別情報とを関連付ける情報である。
【００８４】
サーバ管理情報１２５ａに含まれる機種情報は、上述の管理情報１１１ａに含まれる機種情報と同様に、パワーコンディショナの機種を示す情報である。
【００８５】
サーバ管理情報１２５ａに含まれる識別情報は、収集プログラム記憶部１１０に格納された収集プログラムを識別するための情報である。サーバ管理情報１２５ａの識別情報は、例えばサーバ管理記憶部１２５において収集プログラムが格納されているアドレスを示す情報である。
【００８６】
このように、種々のパワーコンディショナに適用される収集プログラムをサーバ装置１０７に予め格納して管理することができる。これによって、サーバ装置１０７が、種々のパワーコンディショナが接続された複数の遠隔監視装置１０６を効率的に管理することが可能になる。
【００８７】
図７を再び参照する。
収集プログラム送信部１２６は、遠隔監視装置１０６からの要求を受けると、サーバ管理情報１２５ａ及びサーバプログラム記憶部１２４を参照して、要求に対応する収集プログラムを遠隔監視装置１０６へ送信する。
【００８８】
データ集計部１２７は、遠隔監視装置１０６に接続された第１パワーコンディショナ１０４及び第２パワーコンディショナ１０５の各々の発電関連データを遠隔監視装置１０６から取得する。データ集計部１２７は、取得した発電関連データを蓄積する。
【００８９】
そして、データ集計部１２７は、端末装置１０１ｂから要求を受けると、蓄積した発電関連データを予め定められた方法で集計して発電状況情報を作成する。データ集計部１２７は、作成した発電状況情報を端末装置１０１ｂへ送信する。これにより、端末装置１０１ｂの画面で発電状況情報を閲覧することができる。
【００９０】
抑制情報取得部１２８は、図示しない入力部への入力に基づいて、抑制情報を取得する。抑制情報は、発電所からの電力の出力を抑制するスケジュールを示す情報であって、典型的には電力会社からの要請を受けるとその要請に従って入力される。
【００９１】
抑制コマンド記憶部１２９は、抑制コマンド情報１２９ａが予め格納される記憶部である。抑制コマンド情報１２９ａは、パワーコンディショナの機種ごとに、抑制コマンドを作成するための規則を示す情報である。
【００９２】
抑制コマンド作成部１３０は、抑制情報取得部１２８により取得された抑制情報と抑制コマンド情報１２９ａとに基づいて、遠隔監視装置１０６に接続された第１パワーコンディショナ１０４及び第２パワーコンディショナ１０５の各々のための抑制コマンドを作成する。
【００９３】
抑制コマンド送信部１３１は、抑制コマンド作成部１３０により作成された抑制コマンドを遠隔監視装置１０６へ送信する。
【００９４】
ここで、本実施の形態に係る遠隔監視装置１０６、サーバ装置１０７の各々は物理的には例えば、ＣＰＵ（Ｃｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、通信インタフェースなどから構成される。そして、遠隔監視装置１０６、サーバ装置１０７の機能は例えば、それぞれに予め組み込まれたプログラムを、ＲＡＭをワークスペースとして実行することによって実現される。
【００９５】
また、サーバ装置１０７の機能は、無線及び有線の回線を適宜組み合わせて構築されるネットワークを介して相互に通信可能な複数のコンピュータが分担することにより実現されてもよい。
【００９６】
これまで、本発明の一実施の形態に係る遠隔監視システム１００の構成について説明した。ここから、本実施の形態に係る遠隔監視システム１００の動作について説明する。
【００９７】
（プログラム設定処理）
プログラム設定処理は、図９に示すように、遠隔監視装置１０６に接続されたパワーコンディショナの収集プログラムを遠隔監視装置１０６に設定するための処理である。プログラム設定処理は、遠隔監視装置１０６を初めて稼働する場合、遠隔監視装置１０６に接続されたパワーコンディショナの機種が変更された場合などに実行される。
【００９８】
機種取得部１０８は、端末装置１０１ａへのユーザの入力等に基づいて、第１パワーコンディショナ１０４の機種情報「Ａ−０１」を端末装置１０１ａから取得する（ステップＳ１０１）。
【００９９】
機種取得部１０８は、ステップＳ１０１にて取得した機種情報「Ａ−０１」に応じた収集プログラムをサーバ装置１０７へ要求する（ステップＳ１０２）。
【０１００】
図示しないが、要求を受けた収集プログラム送信部１２６は、サーバ管理情報１２５ａを参照し、要求に含まれる機種情報「Ａ−０１」に関連付けられた識別情報「Ｑ１」を特定する。収集プログラム送信部１２６は、特定した識別情報「Ｑ１」により識別される収集プログラム「第１プログラム１１０ａ」をサーバプログラム記憶部１２４から読み出して遠隔監視装置１０６へ送信する。
【０１０１】
収集プログラム取得部１０９は、サーバ装置１０７から送信された第１プログラム１１０ａを取得すると（ステップＳ１０３）、取得した第１プログラム１１０ａを収集プログラム記憶部１１０に格納する（ステップＳ１０４）。このとき、第１プログラム１１０ａが、収集プログラム記憶部１１０のアドレス「Ｐ１」を始点とする一連の領域に格納されたものとする。
【０１０２】
収集プログラム取得部１０９は、第１パワーコンディショナ１０４の機種情報「Ａ−０１」と第１プログラム１１０ａが格納されたアドレス「Ｐ１」を示す識別情報とを関連付けた管理情報１１１ａを管理記憶部１１１に格納する（ステップＳ１０５）。
【０１０３】
これにより、第１プログラム１１０ａを遠隔監視装置１０６に設定するための処理プログラム設定処理が終了する。この処理の結果、第１パワーコンディショナ１０４の収集プログラムである第１プログラム１１０ａが遠隔監視装置１０６に設定される。
【０１０４】
また、第２パワーコンディショナ１０５についても同様のプログラム設定処理を実行することによって第２プログラム１１０ｂが設定される。この処理の結果、収集プログラム記憶部１１０に第１プログラム１１０ａと第２プログラム１１０ｂとが格納されて、管理記憶部１１１には図４に示す管理情報１１１ａが格納される。
【０１０５】
（遠隔監視処理）
遠隔監視処理は、図１０に示すように、発電所での発電状況を遠隔地で監視するために、遠隔監視装置１０６に接続された第１パワーコンディショナ１０４及び第２パワーコンディショナ１０５の各々の発電関連データをサーバ装置１０７へ出力するための処理である。
【０１０６】
遠隔監視処理は、遠隔監視装置１０６により実行される処理であって、例えばプログラム設定処理が行われた後、端末装置１０１ａへユーザが入力する開始の指示に応じて開始される。その後、遠隔監視処理は例えば、端末装置１０１ａへユーザが入力する終了の指示を受けるまで、遠隔監視装置１０６により繰り返し実行される。
【０１０７】
データ作成部１１２は、第１プログラム１１０ａと第２プログラム１１０ｂとのそれぞれを実行することにより、第１取得データに基づく発電関連データと第２取得データの各々に基づく発電関連データとを作成する（ステップＳ２０１）。
【０１０８】
詳細には、データ作成処理（ステップＳ２０１）は、図１０に示すように、第１処理（ステップＳ３０１）と第２処理（ステップＳ３０２）とを含む。
【０１０９】
ステップＳ３０１にて、第１処理部１１５は、第１プログラム１１０ａを実行することにより、第１取得データに基づく発電関連データを作成する。
【０１１０】
第１処理（ステップＳ３０１）のより詳細な処理の流れを図１１に示す。
【０１１１】
第１コマンド作成部１１８は、第１プログラム１１０ａを実行することによって、第１取得コマンドを作成する（ステップＳ４０１）。本実施の形態に係る第１取得コマンドは、上述の通り、瞬間発電電力［Ｗ］、瞬間電流［Ａ］、瞬間電圧［Ｖ］、日射量［Ｗ／ｍ２］、気温［℃］を一括で取得できるコマンドである。
【０１１２】
第１通信部１１９は、ステップＳ４０１にて作成された第１取得コマンドを第１パワーコンディショナ１０４へ送信する（ステップＳ４０２）。そして、第１通信部１１９は、ステップＳ４０２にて第１取得コマンドを送信したことの応答として第１取得データを取得する（ステップＳ４０３）。
【０１１３】
本実施の形態に係る第１取得データは、上述の第１取得コマンドの応答であるので、図１２に示すように、瞬間発電電力［Ｗ］、瞬間電流［Ａ］、瞬間電圧［Ｖ］、日射量［Ｗ／ｍ２］、気温［℃］を含む。
【０１１４】
図１１を再び参照する。
第１データ作成部１２０は、第１通信部１１９により取得された第１取得データから、発電関連データに含めるものとして予め定められた複数の種類の発電関連情報の各々を抽出する（ステップＳ４０４）。
【０１１５】
本実施の形態において、発電関連データに含めるものとして予め定められた発電関連情報の種類は、図２を参照して上述した通り、瞬間発電電力［Ｗ］、気温［℃］、日射量［Ｗ／ｍ２］、風力［ｍ／ｓ］である。そのため、第１データ作成部１２０は、図１２に示すように、第１取得データから、瞬間発電電力［Ｗ］、気温［℃］、日射量［Ｗ／ｍ２］を抽出する。
【０１１６】
ここで、風力［ｍ／ｓ］は、第１取得データに含まれていないので、ステップＳ４０４では抽出されない。
【０１１７】
図１１を再び参照する。
第１データ作成部１２０は、抽出した各種類の発電関連情報を組み合わせことによって、第１データ作成部１２０は発電関連データを作成する（ステップＳ４０５）。
【０１１８】
詳細には、第１データ作成部１２０は、図１２に示すように、抽出した各種類の発電関連情報が予め定められた順番で並ぶように組み合わることによって発電関連データを作成する。
【０１１９】
ここで、上述の通り風力［ｍ／ｓ］は第１パワーコンディショナ１０４から取得できないので、第１パワーコンディショナ１０４の発電関連データでは、風力［ｍ／ｓ］が格納される領域にダミーデータが格納される。ダミーデータは、当該領域が取得できない情報であったことを示す。
【０１２０】
これにより、第１データ作成部１２０は第１処理（ステップＳ３０１）を終了して、図１０に示す遠隔監視処理に戻る。
【０１２１】
ステップＳ３０２にて、第２処理部１１６は、第２プログラム１１０ｂを実行することにより、複数の第２取得データに基づく発電関連データを作成する。
【０１２２】
第２処理（ステップＳ３０２）のより詳細な処理の流れを図１３に示す。
【０１２３】
第２処理部１１６は、ステップＳ５０２〜Ｓ５０４の各処理を３回繰り返す（ループＡ；ステップＳ５０１）。
【０１２４】
ここで、ループＡを繰り返す回数は、発電関連データに含めるものとして予め定められた発電関連情報の種類の数と等しい。そのため、本実施の形態ではループＡが３回繰り返される。
【０１２５】
第２コマンド作成部１２１は、第２プログラム１１０ｂを実行することによって、第２取得コマンドを作成する（ステップＳ５０２）。
【０１２６】
本実施の形態に係る第２取得コマンドは、上述の通り、瞬間発電電力［Ｗ］、気温［℃］、風力［ｍ／ｓ］のそれぞれを取得するためのコマンドである。最初に実行されるステップＳ５０２では、第２コマンド作成部１２１は、例えば瞬間発電電力［Ｗ］を取得するための第２コマンドを作成する。
【０１２７】
第２通信部１２２は、ステップＳ５０２にて作成された第２取得コマンドを第２パワーコンディショナ１０５へ送信する（ステップＳ５０３）。そして、第２通信部１２２は、ステップＳ５０３にて第２取得コマンドを送信したことの応答として第２取得データを取得する（ステップＳ５０４）。
【０１２８】
１回目のループＡ（ステップＳ５０１）において取得される第２取得データは、上述の瞬間発電電力［Ｗ］を取得するための第２コマンドの応答であるので、図１４に示すように、瞬間発電電力［Ｗ］を含む。
【０１２９】
２回目のループＡ（ステップＳ５０１）において第２コマンド作成部１２１は例えば、気温［℃］を取得するためのコマンドを作成する。そして、ステップＳ５０２及びＳ５０３が再び実行される。これによって、図１４に示すように、２回目のループＡ（ステップＳ５０１）が実行された結果として、第２通信部１２２は、気温［℃］を含む第２取得データを取得する。
【０１３０】
３回目のループＡ（ステップＳ５０１）において第２コマンド作成部１２１は例えば、風力［ｍ／ｓ］を取得するためのコマンドを作成する。そして、ステップＳ５０２及びＳ５０３が再び実行される。これによって、図１４に示すように、３回目のループＡ（ステップＳ５０１）が実行された結果として、第２通信部１２２は、風力［ｍ／ｓ］を含む第２取得データを取得する。これにより、ループＡ（ステップＳ５０１）が終了する。
【０１３１】
第２データ作成部１２３は、図１４に示すように、ステップＳ５０４の各々で取得された第２取得データに基づいて、発電関連データを作成する（ステップＳ５０５）。
【０１３２】
詳細には、第２データ作成部１２３は、図１４に示すように、ステップＳ５０４の各々で取得された第２取得データに含まれる発電関連情報が予め定められた順番で並ぶように組み合わせることによって電関連データを作成する。
【０１３３】
ここで、日射量［Ｗ／ｍ２］は第２パワーコンディショナ１０５から取得できないので、第２パワーコンディショナ１０５の発電関連データでは、日射量［Ｗ／ｍ２］が格納される領域にダミーデータが格納される。
【０１３４】
これにより、第２データ作成部１２３は第２処理（ステップＳ３０２）を終了して、図１０に示す遠隔監視処理に戻る。
【０１３５】
出力部１１３は、ステップＳ２０１にて作成された、第１パワーコンディショナ１０４と第２パワーコンディショナ１０５との各々の発電関連データをサーバ装置１０７へ出力し（ステップＳ２０２）、遠隔監視処理を終了する。
【０１３６】
（抑制コマンド作成処理）
抑制コマンド作成処理は、図１５に示すように、電力会社からの要請に基づいて抑制コマンドを作成するための処理である。
【０１３７】
抑制コマンド作成処理は、サーバ装置１０７により実行される処理であって、例えば電力会社から出力抑制の要請を受けてユーザが端末装置１０１ａに入力する情報に基づいて適宜実行される。
【０１３８】
抑制情報取得部１２８は、電力会社からの要請に従った抑制情報を取得する（ステップＳ６０１）。抑制情報は、例えば特定の時間帯の出力電力を一定の値以下に抑えることなどを示す。
【０１３９】
抑制コマンド作成部１３０は、ステップＳ６０１にて取得された抑制情報と抑制コマンド情報１２９ａとに基づいて、遠隔監視装置１０６に接続されたパワーコンディショナの各々のための抑制コマンドを作成する（ステップＳ６０２）。
【０１４０】
例えば、第１パワーコンディショナ１０４及び第２パワーコンディショナ１０５の各々について、抑制情報抑制コマンド情報１２９ａが示す規則に従って、特定の時間帯の出力を一定の値以下に抑えるためのコマンドが作成される。
【０１４１】
抑制コマンド送信部１３１は、ステップＳ６０２にて作成された抑制コマンドを遠隔監視装置１０６へ送信する（ステップＳ６０３）。これにより、抑制コマンド作成処理が終了する。
【０１４２】
（出力抑制処理）
出力抑制処理は、図１６に示すように、発電所にて出力を抑制するための処理である。出力抑制処理は、例えば、遠隔監視装置１０６がサーバ装置１０７から抑制コマンドを取得すると実行される。
【０１４３】
出力抑制部１１４は、上述の抑制コマンド作成処理を実行することによって送信された抑制コマンドをサーバ装置１０７から取得する（ステップＳ７０１）。
【０１４４】
出力抑制部１１４は、遠隔監視装置１０６に接続されたすべてのパワーコンディショナについて、ステップＳ７０３の処理を繰り返し実行する（ループＢ；ステップＳ７０２）。本実施の形態では、第１パワーコンディショナ１０４及び第２パワーコンディショナ１０５の各々について、ステップＳ７０３の処理が実行される。
【０１４５】
出力抑制部１１４は、ステップＳ７０１にて取得した抑制コマンドを、遠隔監視装置１０６に接続されたパワーコンディショナの各々に送信することによって、パワーコンディショナに出力抑制を指示する（ステップＳ７０３）。
【０１４６】
例えば、出力抑制部１１４は、第１パワーコンディショナ１０４用の抑制コマンドを第１パワーコンディショナ１０４へ送信することで、第１パワーコンディショナ１０４に出力抑制を指示する。これにより、第１パワーコンディショナ１０４が抑制コマンドを受信して実行し、その結果、第１パワーコンディショナ１０４からの出力電力が抑制される。
【０１４７】
同様に、出力抑制部１１４は、第２パワーコンディショナ１０５用の抑制コマンドを第２パワーコンディショナ１０５へ送信することで、第２パワーコンディショナ１０５に出力抑制を指示する。これにより、第２パワーコンディショナ１０５が抑制コマンドを受信して実行し、その結果、第２パワーコンディショナ１０５からの出力電力が抑制されて、発電所の出力電力が抑制される。
【０１４８】
これにより、出力抑制処理が終了する。
【０１４９】
本実施の形態によれば、第１プログラム１１０ａと第２プログラム１１０ｂとのそれぞれを実行することにより、第１パワーコンディショナ１０４と第２パワーコンディショナ１０５とのそれぞれから取得する取得データに基づいて共通の発電関連データが作成される。
【０１５０】
これにより、第１パワーコンディショナ１０４と第２パワーコンディショナ１０５との機種が異なっていても、共通の発電関連データを作成して出力することができる。従って、機種が異なる複数のパワーコンディショナに接続された発電装置を一括して監視することが可能になる。
【０１５１】
本実施の形態によれば、第１処理部１１５と第２処理部１１６とのそれぞれが順次繰り返して第１プログラム１１０ａと第２プログラム１１０ｂとを実行する。これにより、リアルタイムで発電関連データをサーバ装置１０７へ出力することができる。従って、機種が異なる複数のパワーコンディショナに接続された発電装置をリアルタイムで一括して監視することが可能になる。
【０１５２】
本実施の形態によれば、第１処理部１１５が、第１コマンド作成部１１８と第１通信部１１９と第１データ作成部１２０とを含む。これにより、発電関連情報を一括で取得できるコマンドが準備されたパワーコンディショナに対応することができる。従って、発電関連情報を一括で取得できるコマンドが採用されるパワーコンディショナに接続された発電装置を一括して監視することが可能になる。
【０１５３】
本実施の形態によれば、第２処理部１１６が、第２コマンド作成部１２１と第２通信部１２２と第２データ作成部１２３とを含む。これにより、発電関連情報を個別で取得できるコマンドが準備されたパワーコンディショナに対応することができる。従って、発電関連情報を個別で取得できるコマンドが採用されるパワーコンディショナに接続された発電装置を一括して監視することが容易に可能になる。
【０１５４】
本実施の形態によれば、第１パワーコンディショナ１０４及び第２パワーコンディショナ１０５の各々について出力電力を抑制するコマンドである抑制コマンドをサーバ装置１０７から取得すると、当該抑制コマンドに対応する機種のパワーコンディショナへ当該抑制コマンドが送信される。これにより、遠隔監視装置１０６によって異なる機種のパワーコンディショナからの出力電力を抑制することができる。従って、機種が異なる複数のパワーコンディショナからの出力電力を１つの遠隔監視装置１０６で一括して管理することが可能になる。
【０１５５】
本実施の形態によれば、遠隔監視装置１０６が、管理記憶部１１１、機種取得部１０８及び収集プログラム取得部１０９を備えるので、パワーコンディショナの機種に応じた収集プログラムをサーバ装置１０７から自動的に取得することができる。従って、機種が異なる複数のパワーコンディショナに接続された発電装置を一括して監視することが容易に可能になる。
【０１５６】
なお、実施の形態では、パワーコンディショナの機種によっては取得できない種類の発電関連情報が発電関連データに含められる例を説明した。しかし、発電関連データは、一般的なパワーコンディショナから取得可能な発電関連情報のみから構成されるように予め定められてもよい。
【０１５７】
この場合、第１コマンド作成部１１８は、第１プログラム１１０ａを実行することによって、予め定められた複数の種類の発電関連情報のすべてを一括で前記第１パワーコンディショナから取得するための第１取得コマンドを作成する。
【０１５８】
また、第２コマンド作成部１２１は、第２プログラム１１０ｂを実行することによって、予め定められた複数の種類の発電関連情報を個別に第２パワーコンディショナから取得するための複数の第２取得コマンドを作成する。
【０１５９】
これによっても、実施の形態と同様の効果を奏する。
【０１６０】
以上、本発明の実施の形態及び変形例について説明したが、本発明は、これらに限られるものではない。例えば、本発明は、これまで説明した実施の形態及び変形例の一部又は全部を適宜組み合わせた形態、その形態に適宜変更を加えた形態をも含む。
【符号の説明】
【０１６１】
１００  遠隔監視システム
１０１ａ，１０１ｂ  端末装置
１０２  第１発電装置
１０３  第２発電装置
１０４  第１パワーコンディショナ
１０５  第２パワーコンディショナ
１０６  遠隔監視装置
１０７  サーバ装置
１０８  機種取得部
１０９  収集プログラム取得部
１１０  収集プログラム記憶部
１１１  管理記憶部
１１２  データ作成部
１１３  出力部
１１４  出力抑制部
１１５  第１処理部
１１６  第２処理部
１１７  処理制御部
１１８  第１コマンド作成部
１１９  第１通信部
１２０  第１データ作成部
１２１  第２コマンド作成部
１２２  第２通信部
１２３  第２データ作成部
１２４  サーバプログラム記憶部
１２５  サーバ管理記憶部
１２６  収集プログラム送信部
１２７  データ集計部
１２８  抑制情報取得部
１２９  抑制コマンド記憶部
１３０  抑制コマンド作成部
１３１  抑制コマンド送信部
【図１】
2019140811.tif 000003
【図２】
2019140811.tif 000004
【図３】
2019140811.tif 000005
【図４】
2019140811.tif 000006
【図５】
2019140811.tif 000007
【図６】
2019140811.tif 000008
【図７】
2019140811.tif 000009
【図８】
2019140811.tif 000010
【図９】
2019140811.tif 000011
【図１０】
2019140811.tif 000012
【図１１】
2019140811.tif 000013
【図１２】
2019140811.tif 000014
【図１３】
2019140811.tif 000015
【図１４】
2019140811.tif 000016
【図１５】
2019140811.tif 000017
【図１６】
2019140811.tif 000018